(57)【要約】【課題】吸込みグリルを開閉することなくエアフィルタの交換、清掃ができる空気調和機を提供するものである。【解決手段】室内ユニット１に取着され吸込み口１０１を有する前面パネル６と、前記前面パネル６に開閉自在に取り付けられ吸込み口７を有する吸入グリル８とを備え、前記前面パネル６及び／又は吸入グリル８の吸込み口１０１、７の前面側に集塵を行うエアフィルタ１０２を形成したもので、吸入グリル８を開閉させることなくエアフィルタ１０２を容易に着脱させることができ、又エアフィルタ１０２の大きさも吸込み口７、１０１を覆う範囲の小さいものでよく、さらに、エアフィルタ１０２の汚れも一目で確認できる。【選択図】図１
2005140402.tif 000002
【特許請求の範囲】
【請求項１】
室内ユニットと室外ユニットとが分離または一体化された空気調和機において、前記室内ユニットに取着され吸込み口を有する前面パネルと、前記前面パネルに開閉自在に取り付けられ吸込み口を有する吸入グリルとを備え、前記前面パネル及び／又は吸入グリルの吸込み口の前面側に集塵を行うエアフィルタを形成したことを特徴とする空気調和機。
【請求項２】
エアフィルタの枠に複数個のツメまたはリブを設け前面パネルまたは吸入グリルと係合させ、吸入グリルの開閉に関係なくエアフィルタを着脱可能としたことを特徴とする請求項１記載の空気調和機。
【請求項３】
前面パネル及び／又は吸入グリルに略コの字状のガイドレールを形成し、エアフィルタを前記ガイドレールに沿って着脱できるよう構成したことを特徴とする請求項１記載の空気調和機。
【請求項４】
前面パネル及び／又は吸入グリルの吸込み口にエアフィルタを一体成型または溶着等で固着したことを特徴とする請求項１記載の空気調和機。
【請求項５】
前面パネル及び／又は吸入グリルの吸込み口にエアフィルタを装着し、前記エアフィルタの前面を、着脱可能な吸込み口カバーで挟み込む構成にしたことを特徴とする請求項１記載の空気調和機。
【発明の詳細な説明】
【技術分野】
【０００１】
本発明は、空気調和機に関するもので、特にエアフィルタの取り付け方法に関するものである。
【背景技術】
【０００２】
従来の空気調和機のエアフィルタ固定装置としては、前面パネルに別体で設けられた吸入グリルを開閉させて前面パネルに保持されたエアフィルタを着脱するものがあった。以下に、図１１および図１２を用いて従来の空気調和機について説明する。
【０００３】
図１１および図１２において、１は室内ユニットで台枠２の上に熱交換器３、送風機４、駆動用のモータ５配設されている。室内ユニット１の前面を覆う意匠的な前面パネル６には空気を吸い込む吸込み口７を形成した吸入グリル８が開閉自在に別体で前面パネル６に取り付けられている。吸入グリル８と熱交換器３との間には集塵するためのエアフィルタ９が前面パネル６に設けたガイドレール１０に沿って装着され固定される。エアフィルタ９の着脱は吸入グリル８を開閉して行うようになっていた（例えば、特許文献１参照）。
【特許文献１】特公平３−１１０３２７号公報
【発明の開示】
【発明が解決しようとする課題】
【０００４】
しかしながら、上記従来の構成では、エアフィルタ９が熱交換器３と前面パネル６に設けた開閉自在な吸入グリル８との間に配設される構成であり、エアフィルタ９を掃除する際には吸入グリル８を開状態にして、さらに前面パネル６と吸入グリル８に開状態で一時固定できる機構を設ける等の複雑な構成が必要であり、開閉力や一時固定での保持力を確保するための嵌合調整を要し、構造的にも複雑であり、微妙な嵌合を必要とするという課題を有していた。
【０００５】
また、上記従来の構成では、エアフィルタ９が吸入グリル８の吸込み口７の後方に配設する構成であり、エアフィルタ９に付着した塵埃や汚れが使用者に解り難く、さらに吸込まれる空気の通路を形成する吸入グリル８や前面パネル６の内側に静電気等で塵埃が付着し掃除のやりずらいものであった。加えて近年の主流になっている断面形状が送風機４を包むように多段階に折り曲げる熱交換器３を採用した空気調和機では前記熱交換器３を覆うためにエアフィルタ９は熱交換器３を包み込むように大きく湾曲させた大きな複雑な形状のエアフィルタ９にする必要があり清掃作業性からもエアフィルタ９の着脱性からも困難であるという課題を有していた。
【０００６】
本発明は前記従来の課題を解決するもので、吸入グリルを開閉することなくエアフィルタが交換でき、しかもエアフィルタの形状や大きさをシンプルな吸込み口を覆う小さなものにした空気調和機を提供することを目的とする。
【課題を解決するための手段】
【０００７】
前記従来の課題を解決するために、本発明の空気調和機のエアフィルタ固定装置は、室内ユニットと室外ユニットとが分離または一体化された空気調和機において、前記室内ユニットに取着され吸込み口を有する前面パネルと、前記前面パネルに開閉自在に取り付けられ吸込み口を有する吸入グリルとを備え、前記前面パネル及び／又は吸入グリルの吸込み口の前面側に集塵を行うエアフィルタを形成したもので、吸入グリルを開閉させ開時に一時固定させる複雑な機構や構成を必要とせずエアフィルタを容易に着脱させることができ、エアフィルタの大きさも吸入グリルの吸込み口を覆う範囲で少ない面積にすることができる。また、吸入グリルの前面にエアフィルタを固定するためエアフィルタの汚れも一目でき、使用者に掃除の時期を知らせることができる。さらに吸込まれる空気の通路を形成する吸入グリルや前面パネルの内側に静電気等で塵埃が付着するのを抑制することができる。
【発明の効果】
【０００８】
本発明の空気調和機は、吸入グリルの吸込み口の前面にエアフィルタを配することにより、吸入グリルを開閉させることなくエアフィルタの着脱が行え、またその大きさも吸込み口を覆うだけの小さなものですみ、また、エアフィルタの汚れ具合も一目でわかり、さらに吸入グリルや前面パネルの内側に静電気等で塵埃が付着するのも防止できる。
【発明を実施するための最良の形態】
【０００９】
第１の発明は、室内ユニットと室外ユニットとが分離または一体化された空気調和機において、前記室内ユニットに取着され吸込み口を有する前面パネルと、前記前面パネルに開閉自在に取り付けられ吸込み口を有する吸入グリルとを備え、前記前面パネル及び／又は吸入グリルの吸込み口の前面側に集塵を行うエアフィルタを形成したもので、吸入グリルを開閉させ開時に一時固定させる複雑な機構や構成を必要とせずエアフィルタを容易に着脱させることができ、エアフィルタの大きさも吸入グリルの吸込み口を覆う範囲で少ない面積にすることができる。また、吸入グリルの前面にエアフィルタを固定するためエアフィルタの汚れも一目でき、使用者に掃除の時期を知らせることができる。さらに吸込まれる空気の通路を形成する吸入グリルや前面パネルの内側に静電気等で塵埃が付着するのを抑制することができる。
【００１０】
第２の発明は、特に、第１の発明のエアフィルタの枠に複数個のツメまたはリブを設け前面パネルまたは吸入グリルと係合させ、吸入グリルの開閉に関係なくエアフィルタを着脱可能としたもので、エアフィルタの前面パネルや吸入グリルへの取り付けが容易になるので、掃除やメンテナンスが極めて容易である。
【００１１】
第３の発明は、特に、第１の発明の前面パネル及び／又は吸入グリルに略コの字状のガイドレールを形成し、エアフィルタを前記ガイドレールに沿って着脱できるようにしたもので、エアフィルタの前面パネルや吸入グリルへの取り付けが容易になるので、掃除やメンテナンスが極めて容易にできる。
【００１２】
第４の発明は、特に、第１の発明の前面パネル及び／又は吸入グリルの吸込み口にエアフィルタを一体成型または溶着等で固着したもので、エアフィルタの大きさも吸入グリルの吸込み口を覆う少ない面積ですみ、また、着脱可能な吸入グリルと一緒に清掃することができる。
【００１３】
第５の発明は、特に、第１の発明の前面パネル及び／又は吸入グリルの吸込み口にエアフィルタを装着し、前記エアフィルタの前面を、着脱可能な吸込み口カバーで挟み込む構成にしたもので、エアフィルタの大きさも吸入グリルの吸込み口を覆う少ない面積にすることができ、また、外観意匠の意匠性を高めつつ、清掃性と着脱を容易にすることができる。
【００１４】
以下本発明の実施の形態について、図面を参照しながら説明する。なお、この実施の形態によって本発明が限定されるものではない。
【００１５】
（実施の形態１）
図１は、本発明の第１の実施の形態における空気調和機の斜視図で、図２は、空気調和機の断面図である。なお、従来例と同一部分については、同一符号を用いてその説明を省略する。
【００１６】
図１および図２において、１は空気調和機の室内ユニットであり、図示しない接続配管、電源接続線、信号接続線等を介して図示しない室外ユニットと接続され、室内の壁面に設置されて、室内の冷暖房を主体に行うものである。室内ユニット１の外観は、樹脂成型の台枠２と前記台枠２の前面に設けられる樹脂成型の前面パネル６と前記前面パネル６の前面に開閉自在に着脱可能に取り付けた樹脂成型の吸入グリル８とから構成されている。また、前面パネル６の上面等には吸込み口１０１と吸入グリル８の前面には吸込み口７が設けられ、吸込み口１０１と吸込み口７の前面側には吸込み空気を濾過するエアフィルタ１０２が取り付けられた構成になっている。
【００１７】
以上のように構成された空気調和機の動作、作用を説明する。
【００１８】
まず、空気を取り入れる吸込み口７が吸入グリル８の前面および前面パネル６の上面等に吸込み口１０１が形成され、駆動用のモータ５により送風機４で吸込み口７および吸込み口１０１の前面に形成したエアフィルタ１０２を通過することにより埃等を濾過して吸い込まれた空気は熱交換器３で熱交換され、前面パネル６の底面前方に傾斜して配置される吹出し部１０３より吹出される。
【００１９】
以上のように、本実施の形態においてはエアフィルタ１０２を吸込み口７や吸込み口１０１の前面に形成することにより、吸入グリル８や前面パネル６の吸込み前方で空気を濾過させることになりエアフィルタ１０２の汚れが使用者に一目でき掃除の時期を明確に知らせることができる。
【００２０】
また、本実施の形態では吸入グリル８や前面パネル６の前面にエアフィルタ１０２を形成したことによりエアフィルタ１０２の着脱が吸入グリル８の開閉機構の必要性に関係なく容易に行え、エアフィルタ１０２の大きさも吸込み口７や吸込み口１０１を覆うだけの少ない面積で形成することができる。
【００２１】
また、本実施の形態では吸入グリル８や前面パネル６の前面にエアフィルタ１０２を形成したことにより吸込まれる空気の通路を形成する吸入グリル８や前面パネル６の内側に静電気等で塵埃が付着するのを抑制することができる。
【００２２】
（実施の形態２）
図３は、本発明の第２の実施の形態における空気調和機の斜視図で、図４は、空気調和機の断面図である。なお、上記実施の形態と同一部分については、同一符号を用いてその説明を省略する。
【００２３】
図３および図４において、エアフィルタ１０２の外周に一体成型して設けた枠１０４に複数個のツメ１０５またはリブ１０６を設け前面パネル６または吸入グリル８と係合させ、エアフィルタ１０２を着脱可能に取り付けられた構成になっている。
【００２４】
以上のように、本実施の形態においてはエアフィルタ１０２を吸込み口７や吸込み口１０１の前面に形成することにより、吸入グリル８や前面パネル６の吸込み前方で空気を濾過させることになりエアフィルタ１０２の汚れが使用者に一目でき掃除の時期を明確に知らせることができる。
【００２５】
また、本実施の形態では吸入グリル８や前面パネル６の前面にエアフィルタ１０２を形成したことによりエアフィルタ１０２の着脱が吸入グリル８の開閉機構の必要性に関係なく容易に行え、エアフィルタ１０２の大きさも吸込み口７や吸込み口１０１を覆うだけの少ない面積にすることができる。
【００２６】
また、本実施の形態では吸入グリル８や前面パネル６の前面にエアフィルタ１０２を形成したことにより吸込まれる空気の通路を形成する吸入グリル８や前面パネル６の内側に静電気等で塵埃が付着するのを抑制することができる。
【００２７】
（実施の形態３）
図５は、本発明の第３の実施の形態における空気調和機の斜視図で、図６は、空気調和機の断面図である。なお、上記実施の形態と同一部分については、同一符号を用いてその説明を省略する。
【００２８】
図５および図６において、前面パネル６または吸入グリル８にコの字状のガイドレール１０７を形成し、エアフィルタ１０２をガイドレール１０７に沿って着脱可能に取り付けられた構成になっている。
【００２９】
以上のように、本実施の形態においてはエアフィルタ１０２を吸込み口７や吸込み口１０１の前面に形成することにより、吸入グリル８や前面パネル６の吸込み前方で空気を濾過させることになりエアフィルタ１０２の汚れが使用者に一目でき掃除の時期を明確に知らせることができる。
【００３０】
また、本実施の形態では吸入グリル８や前面パネル６の前面にエアフィルタ１０２を形成したことによりエアフィルタ１０２の着脱が吸入グリル８の開閉機構の必要性に関係なく容易に行え、エアフィルタ１０２の大きさも吸込み口７や吸込み口１０１を覆うだけの少ない面積で形成することができる。
【００３１】
また、本実施の形態では吸入グリル８や前面パネル６の前面にエアフィルタ１０２を形成したことにより吸込まれる空気の通路を形成する吸入グリル８や前面パネル６の内側に静電気等で塵埃が付着するのを抑制することができる。
【００３２】
（実施の形態４）
図７は、本発明の第４の実施の形態における空気調和機の斜視図で、図８は、空気調和機の断面図である。なお、上記実施の形態と同一部分については、同一符号を用いてその説明を省略する。
【００３３】
図７および図８において、前面パネル６または吸入グリル８の吸込み口７にエアフィルタ１０２を一体成型または、溶着等で固定した構成になっている。
【００３４】
以上のように、本実施の形態においてはエアフィルタ１０２を吸込み口７や吸込み口１０１の前面に形成することにより、吸入グリル８や前面パネル６の吸込み前方で空気を濾過させることになりエアフィルタ１０２の汚れが使用者に一目でき掃除の時期を明確に知らせることができる。
【００３５】
また、本実施の形態では着脱可能な吸入グリル８と一緒に清掃することができ、エアフィルタ１０２の大きさも吸込み口７や吸込み口１０１を覆うだけの少ない面積にすることができる。
【００３６】
また、本実施の形態では吸入グリル８や前面パネル６の前面にエアフィルタ１０２を形成したことにより吸込まれる空気の通路を形成する吸入グリル８や前面パネル６の内側に静電気等で塵埃が付着するのを抑制することができる。
【００３７】
（実施の形態５）
図９は、本発明の第５の実施の形態における空気調和機の斜視図で、図１０は、空気調和機の断面図である。なお、上記実施の形態と同一部分については、同一符号を用いてその説明を省略する。
【００３８】
図９および図１０において、前面パネル６または吸入グリル８の吸込み口７にエアフィルタ１０２を装着し、エアフィルタ１０２の前面に着脱可能な吸込み口カバー１０８で挟み込む構成になっている。
【００３９】
以上のように、本実施の形態では吸入グリル８や前面パネル６の前面にエアフィルタ１０２を形成したことによりエアフィルタ１０２の着脱が吸入グリル８の開閉機構の必要性に関係なく容易に行え、エアフィルタ１０２の大きさも吸込み口７や吸込み口１０１を覆うだけの少ない面積にすることができる。
【００４０】
また、外観意匠の意匠性を高めつつ、清掃性と着脱を容易にすることができる。
【００４１】
また、本実施の形態では吸入グリル８や前面パネル６の前面にエアフィルタ１０２を形成したことにより吸込まれる空気の通路を形成する吸入グリル８や前面パネル６の内側に静電気等で塵埃が付着するのを抑制することができる。
【産業上の利用可能性】
【００４２】
以上のように、本発明にかかる空気調和機は、吸入グリルを開閉させることなく、エアフィルタの着脱が行え、その大きさも吸込み口を覆うだけの小さなものですみ、また、エアフィルタの汚れ具合が一目でわかり、さらに吸入グリルや前面パネルの内側に静電気等で塵埃が付着するのも防止できるので、空調機器以外に各種送風機器、空気清浄機等にも広く適用できるものである。
【図面の簡単な説明】
【００４３】
【図１】本発明の実施の形態１における空気調和機の斜視図
【図２】同空気調和機の断面図
【図３】本発明の実施の形態２における空気調和機の斜視図
【図４】同空気調和機の断面図
【図５】本発明の実施の形態３における空気調和機の斜視図
【図６】同空気調和機の断面図
【図７】本発明の実施の形態４における空気調和機の斜視図
【図８】同空気調和機の断面図
【図９】本発明の実施の形態５における空気調和機の斜視図
【図１０】同空気調和機の断面図
【図１１】従来の空気調和機の斜視図
【図１２】同空気調和機の断面図
【符号の説明】
【００４４】
１    室内ユニット
６    前面パネル
７    吸込み口
８    吸入グリル
１０１    吸込み口
１０２    エアフィルタ
１０４    吸込み口カバー
１０５    ツメ
１０６    リブ
１０７    ガイドレール
１０８    吸込み口カバー
【図１】
2005140402.tif 000003
【図２】
2005140402.tif 000004
【図３】
2005140402.tif 000005
【図４】
2005140402.tif 000006
【図５】
2005140402.tif 000007
【図６】
2005140402.tif 000008
【図７】
2005140402.tif 000009
【図８】
2005140402.tif 000010
【図９】
2005140402.tif 000011
【図１０】
2005140402.tif 000012
【図１１】
2005140402.tif 000013
【図１２】
2005140402.tif 000014